(57)【要約】【課題】棚内への塵埃の入り込みを極力抑制し、且つ棚内の機器や配線が視認されることなく美感性を高め、さらに脱着操作が容易なテレビ台及びシアターラック専用のパネルユニットを提供する。【解決手段】略矩形平板形状に形成されて奥手前方向が規定されている底板２と、底板２から鉛直上方に延びて形成されている柱体と、柱体の頂面と接して配されている略矩形平板形状の天板５とを備えたテレビ台又はシアターラック１に用いられるべきテレビ台及びシアターラック専用のパネルユニット９であって、テレビ台及びシアターラック専用のパネルユニット９は、シアターラック１の手前側に配されるべき手前側パネル本体９ａと、柱体の手前側端面に当接すべき手前側パネル本体９ａの背面と、手前側パネル本体９ａの上部全域に配されて天板５の下面に密着すべき弾性材料からなる第１の弾性体１０とを備えている。【選択図】        図３
0003205362.tif 000002
【実用新案登録請求の範囲】
【請求項１】
略矩形平板形状に形成されて奥手前方向が規定されている底板と、
該底板の手前側の面として配されている前記底板の手前側端面と、
該底板から鉛直上方に延びて形成されている柱体と、
前記底板の手前側端面と平行であり且つ前記底板の手前側端面よりも奥側に位置する前記柱体の手前側端面と、
前記柱体の頂面と接して配されている略矩形平板形状の天板と、
前記柱体の手前側端面よりも手前側に位置する前記天板の手前側端面とを備えたテレビ台又はシアターラックに用いられるべきテレビ台及びシアターラック専用のパネルユニットであって、
前記シアターラックの手前側に配されるべき手前側パネル本体と、
前記柱体の手前側端面に当接すべき前記手前側パネル本体の背面と、
前記手前側パネル本体の上部全域に配されて前記天板の下面に密着すべき弾性材料からなる第１の弾性体とを備えたことを特徴とするテレビ台及びシアターラック専用のパネルユニット。
【請求項２】
前記シアターラックは、前記天板と前記底板との間に配された中板をさらに備え、
前記底板、天板、中板の左右側端面は鉛直方向にて全て揃っていて、
前記中板の左右両端を受け入れ可能な貫通孔を有し、且つ上部全域に前記天板の下面に密着すべき弾性材料からなる第２の弾性体を有し、且つ前記底板及び天板の間であって左右側に配されるべき略矩形形状の左右側パネル本体をさらに備えたことを特徴とする請求項１に記載のテレビ台及びシアターラック専用のパネルユニット。
【請求項３】
前記手前側パネル本体及び前記左右側パネル本体は、フレームと、該フレームの左右間に掛け渡されて上下方向に間隔を存して配された複数の横板とを含み、
前記貫通孔は隣り合う前記横板の間に形成されていることを特徴とする請求項２に記載のテレビ台及びシアターラック専用のパネルユニット。
【考案の詳細な説明】
【技術分野】
【０００１】
本考案は、シアターラックに適した構造を有するテレビ台及びシアターラック専用のパネルユニットに関するものである。
【背景技術】
【０００２】
各家庭で使用されているテレビは、通常テレビ台に載置されて配設されている。テレビ台は棚板を有し、ここにＤＶＤデッキやゲーム機等を配することで、テレビに関連する機器を近接して収容することができるため、テレビ台は広く利用されている。一方でＤＶＤの普及に伴い、家庭内において映画を見るユーザが増加している。このようなユーザは、テレビ台にスピーカが付随したシアターラックをテレビ台として使用していることが多い（例えば特許文献１参照）。
【０００３】
しかしながら、通常用いられているシアターラックは棚板がむき出しであるため、棚内に配されたＤＶＤプレーヤーやゲーム機等が視認されてしまい、美観を損ねている。このことは、これらの機器の配線が露出して視認されてしまうことも相俟って美観を損ねている。また、塵埃等が棚板上に溜まってしまい、機器への影響が懸念され、そしてやはり美観が損なわれている。
【０００４】
塵埃の入り込みを防ぐため、テレビ台に扉を設けたものも数多く販売されている（例えば特許文献２参照）。しかしながらこのような扉はリモコンにおける受光を妨げないように透明のガラス製のものが多く、結果的に棚内の機器や配線が視認されることから、美観の低減を防いでいるものではない。またこのような扉はテレビ台と一体となっているものが多く、扉を所望する際には最初から扉付きのテレビ台に限定して購入する必要がある。
【先行技術文献】
【特許文献】
【０００５】
【特許文献１】特開２００９−２５３３４４号公報
【特許文献２】特開２０１２−１８６７６７号公報
【考案の概要】
【考案が解決しようとする課題】
【０００６】
本考案は、上記従来技術を考慮したものであり、棚内への塵埃の入り込みを極力抑制し、且つ棚内の機器や配線が視認されることなく美感性を高め、さらに脱着操作が容易なテレビ台及びシアターラック専用のパネルユニットを提供することを目的とする。
【課題を解決するための手段】
【０００７】
前記目的を達成するため、本考案では、略矩形平板形状に形成されて奥手前方向が規定されている底板と、該底板の手前側の面として配されている前記底板の手前側端面と、該底板から鉛直上方に延びて形成されている柱体と、前記底板の手前側端面と平行であり且つ前記底板の手前側端面よりも奥側に位置する前記柱体の手前側端面と、前記柱体の頂面と接して配されている略矩形平板形状の天板と、前記柱体の手前側端面よりも手前側に位置する前記天板の手前側端面とを備えたテレビ台又はシアターラックに用いられるべきテレビ台及びシアターラック専用のパネルユニットであって、前記シアターラックの手前側に配されるべき手前側パネル本体と、前記柱体の手前側端面に当接すべき前記手前側パネル本体の背面と、前記手前側パネル本体の上部全域に配されて前記天板の下面に密着すべき弾性材料からなる第１の弾性体とを備えたことを特徴とするテレビ台及びシアターラック専用のパネルユニットを提供する。
【０００８】
好ましくは、前記シアターラックは、前記天板と前記底板との間に配された中板をさらに備え、前記底板、天板、中板の左右側端面は鉛直方向にて全て揃っていて、前記中板の左右両端を受け入れ可能な貫通孔を有し、且つ上部全域に前記天板の下面に密着すべき弾性材料からなる第２の弾性体を有し、且つ前記底板及び天板の間であって左右側に配されるべき略矩形形状の左右側パネル本体をさらに備えている。
【０００９】
好ましくは、前記手前側パネル本体及び前記左右側パネル本体は、フレームと、該フレームの左右間に掛け渡されて上下方向に間隔を存して配された複数の横板とを含み、前記貫通孔は隣り合う前記横板の間に形成されている。
【考案の効果】
【００１０】
本考案によれば、手前側パネル本体により、シアターラックの手前側が覆われるので、棚内への塵埃の入り込みを極力抑制し、且つ棚内の機器や配線が視認されることなく美感性を高めることができる。また、手前側パネル本体の上部には第１の弾性体が配されているので、いわゆるケンドン式のような感じにて容易に底板と天板間に入れ込んで装着することができる。このため、脱着操作が容易となり、作業性が向上する。
【００１１】
また、シアターラックが中板を備えていたとしても、左右側パネル本体にはこの中板の左右両端部を受け入れ可能な貫通孔が形成されているので、ここに中板を入れ込んで左右側パネル本体を底板と天板間に入れ込んで装着することができる。
【００１２】
また、横板を形成することで、見栄えをよくし、横板間をリモコンの受光のための空間として利用することができる。
【図面の簡単な説明】
【００１３】
【図１】本考案に係るテレビ台及びシアターラック専用のパネルユニットが適用されるべきシアターラックの概略正面図である。
【図２】本考案に係るテレビ台及びシアターラック専用のパネルユニットが適用されるべきシアターラックの概略側面図である。
【図３】本考案に係るテレビ台及びシアターラック専用のパネルユニットを装着したシアターラックの概略正面図である。
【図４】本考案に係るテレビ台及びシアターラック専用のパネルユニットを装着したシアターラックの概略側面図である。
【図５】本考案に係るテレビ台及びシアターラック専用のパネルユニットの概略斜視図である。
【図６】本考案に係るテレビ台及びシアターラック専用のパネルユニットをシアターラックに装着している状態を示す概略側面図である。
【図７】手前側パネル本体をシアターラックに取り付けたときの概略側面図である。
【考案を実施するための形態】
【００１４】
まずは図１及び図２に示すように、本考案に係るテレビ台及びシアターラック専用のパネルユニット９（後述）が適用されるべきシアターラック１について説明する。なお、以下の実施例ではシアターラック１について説明するが、本考案は同様の構造を有するテレビ台やそれに類するテレビボード等にも適用可能である。シアターラック１は、略矩形平板形状に形成されて奥手前方向が規定されている底板２を有している。図１では手前側方向から視た正面図であり、図２では向かって左側が手前方向、右側が奥方向である。この底板２は床面に載置されるべきものであるが、底板２の下側にさらに載置部材３を介して床面に載置してもよい。載置部材３は略矩形形状の枠体であってもよいし、平板形状であってもよい。底板２は略矩形平板形状であるが故、上下左右奥手前にそれぞれ面を有し、底板２の手前側の面としては底板２の手前側端面２ａが配されている。
【００１５】
底板２からは、柱体４が鉛直上方に延びて形成されている。柱体４は略直方体形状であり、上下左右奥手前にそれぞれ面を有している。柱体４の手前側端面４ａは、底板２の手前側端面２ａと平行であり且つ底板２の手前側端面２ａよりも奥側に位置している。図の例では、柱体４は、底板２に対して左右両側にそれぞれ配されている。また、図の例では、柱体４は、底板２の手前側に寄った位置に配設されている。
【００１６】
シアターラック１上部には、天板５が配されている。この天板５は略矩形平板形状であり、やはり上下左右奥手前にそれぞれ面を有している。天板５の手前側端面５ａは、柱体４の手前側端面４ａよりも手前側に位置している。すなわち、天板５の手前側端面５ａは、柱体４の手前側端面４ａよりも手前側に突出している。この天板５は、柱体４の頂面と接することで支持されている。これとは別に、底板２と天板５との間であって奥側には奥板７が互いに接して互いを支持するように配されている。シアターラック１として使用する際、この天板５の上にテレビ等のディスプレイが載置される。なお、図の例では、天板５にスピーカ６が一体化されている。このスピーカ６は天板５の手前側全域に取り付けられている。このような位置にスピーカ６が一体化されている場合、スピーカ６の手前側端面が天板５の手前側端面５ａとなる。
【００１７】
底板２と天板５との間には、これらと平行となる略平板形状の中板８が配されている。この中板８も上下左右奥手前にそれぞれ面を有している。中板８は奥側にて奥板７に支持されていて、中板８の手前側端面８ａは柱体４の手前側端面４ａよりも奥側に位置している。なお、底板２、天板５、中板８の左右側端面は鉛直方向にて全て揃っている。底板２や中板８には、ディスプレイ機器に接続されるためのＤＶＤプレーヤーやゲーム機等が載置されて収容される。
【００１８】
本考案に係るテレビ台及びシアターラック専用のパネルユニット９は、上記のようなシアターラック１に適用される。図３及び図４に示すように、テレビ台及びシアターラック専用のパネルユニット９は、手前側パネル本体９ａと左右側パネル本体９ｂにて形成されている。手前側パネル本体９ａは、シアターラック１の手前側に配されるものである。一方で、左右側パネル本体９ｂは、シアターラック１の左右側に配されるものである。手前側パネル本体９ａの上部全域には、天板５の下面に密着すべき弾性材料からなる第１の弾性体１０が配されている。一方で左右側パネル本体９ｂの上部全域には、天板５の下面に密着すべき弾性材料からなる第２の弾性体１１が配されている。第１の弾性体１０及び第２の弾性体１１には、ウレタン材やゴム等を利用できる。なお、図ではシアタラック１の手前側に２枚の手前側パネル本体９ａを配した例を示しているが、１枚で形成してもよいし、３枚以上で形成してもよい。
【００１９】
図５に示すように、手前側パネル本体９ａは、略矩形形状で外枠となるフレーム１２を有している。このフレーム１２の左右間には、上下方向に間隔を存して掛け渡された横板１３が複数配設されている。隣り合う横板１３の間は、手前側パネル本体９ａを貫通しているので、貫通孔１４として形成されている。この構造は、左右側パネル本体９ｂも同様である。なお、横板１３を設けなくても、後述する中板８を受け入れるための貫通孔１４さえ設ければその他の構造は自由であり、自由にデザインをすることが可能である。
【００２０】
ここで、手前側パネル本体９ａをシアターラック１に装着する際は、図６及び図７のようにして行う。すなわち、図６に示すように、シアターラック１の手前側から手前側パネル本体９ａを斜めにして第１の弾性体１０を天板５の下面に突き当たるようにあてがう。そして、第１の弾性体１０をその弾性により収縮させ、図７に示すように手前側パネル本体９ａの下側を入れ込む。このとき、手前側パネル本体９ａの背面１５は柱体４の手前側端面４ａに当接する。したがって、手前側パネル本体９ａの手前奥方向はこの柱体４に突き当たることで規定される。このとき、手前側パネル本体９ａの手前奥方向の厚みは、手前側パネル本体９ａの手前側面１６がシアターラック１の手前側面、すなわち底板２の手前側側面２ａ及び天板５の手前側側面５ａよりも手前側にはみ出さないように設定される。特に、図の例のように天板５の手前側にスピーカ６が取り付けられている場合には、手前下側に面取り加工された面取り面１７が形成されていることがあるが、手前側パネル本体９ａの手前側面１６は、この面取り面１７の下縁と揃っていることが好ましい。良好な見栄えを得ることができるからである。
【００２１】
左右側パネル本体９ｂも同様の操作でシアターラック１の左右側のそれぞれから装着される。このとき、上述したように底板２、天板５、中板８の左右側端面は鉛直方向にて全て揃っているため、貫通孔１４に中板８を差し込むようにして装着される。すなわち、貫通孔１４の上下方向の長さは、中板８の左右両端の厚みを受け入れ可能な長さに設定される。なお、種々の中板の厚みに対応させるため、横板１３を上下方向に可動とするような構成にしてもよい。
【００２２】
上記のようなテレビ台及びシアターラック専用のパネルユニット９を用いれば、手前側パネル本体９ａにより、シアターラック１の手前側が覆われるので、棚内（シアターラック１内の空間）への塵埃の入り込みを極力抑制し、且つ棚内の機器や配線が視認されることなく美感性を高めることができる。また、手前側パネル本体９ａの上部には第１の弾性体１０が配されているので、いわゆるケンドン式のような感じにて容易に底板２と天板５間に入れ込んで装着することができる。ケンドン式であるが故取り外しも容易である。このため、脱着操作が容易となり、作業性が向上する。また少なくとも底板２と天板５とを有し、手前側が開口しているような全てのシアターラック１についてテレビ台及びシアターラック専用のパネルユニット９は適用できるので、汎用性の高いものとなっている。
【００２３】
手前側パネル本体９ａ及び左右側パネル本体９ｂの上部には第１の弾性体１０及び第２の弾性体１１が配されているので、例に示したような天板５にスピーカ６が取り付けられている場合であっても、その振動を吸収できるので、スピーカ６の音質の低下を招くことはない。また、シアターラック１が中板８を備えていたとしても、左右側パネル本体９ｂにはこの中板８の左右両端部を受け入れ可能な貫通孔１４が形成されているので、ここに中板８を入れ込んで左右側パネル本体９ｂを底板２と天板５間に入れ込んで装着することができる。また、横板１３（貫通孔１４）を形成することで、見栄えをよくし、横板１３間をリモコンの受光のための空間として利用することができる。この貫通孔１４により、収容されているＡＶ機器等から発する熱に対する放熱効果も期待できる。
【符号の説明】
【００２４】
１：シアターラック、２：底板、２ａ：底板の手前側端面、３：載置部材、４：柱体、４ａ：柱体の手前側端面、５：天板、５ａ：天板の手前側端面、６：スピーカ、７：奥板、８：中板、８ａ：中板の手前側端面、９：テレビ台及びシアターラック専用のパネルユニット、９ａ：手前側パネル本体、９ｂ：左右側パネル本体、１０：第１の弾性体、１１：第２の弾性体、１２：フレーム、１３：横板、１４：貫通孔、１５：手前側パネル本体の背面、１６：手前側パネル本体の手前側面、１７：面取り面
【図１】
0003205362.tif 000003
【図２】
0003205362.tif 000004
【図３】
0003205362.tif 000005
【図４】
0003205362.tif 000006
【図５】
0003205362.tif 000007
【図６】
0003205362.tif 000008
【図７】
0003205362.tif 000009